(57)【要約】【課題】個人の関心事を反映したイシューを抽出して使用者に提供する情報提供方法及びそのシステムを提供する。【解決手段】使用者から検索語または所定情報に対する位置情報の入力を受ける段階と、前記位置情報に対応するウェブサイトに接続し、該当のウェブサイトの内容データに含まれた各単語のうち出現回数が臨界値以上である一つ以上の核心語を抽出する段階と、前記検索語の入力回数及び前記核心語を参照して関心事リストを生成する段階と、前記関心事リストを使用者に提供する段階と、を含んだ情報提供方法を構成する。【選択図】図１
2008176782.tif 000002
【特許請求の範囲】
【請求項１】
使用者から検索語または所定情報に対する位置情報の入力を受ける段階と、
前記位置情報に対応するウェブサイトに接続し、該当のウェブサイトの内容データに含まれた各単語のうち出現回数が臨界値以上である一つ以上の核心語を抽出する段階と、
前記検索語の入力回数及び前記核心語を参照して関心事リストを生成する段階と、
前記関心事リストを使用者に提供する段階と、
を含むことを特徴とする情報提供方法。
【請求項２】
前記核心語抽出段階は、
前記ウェブサイトの内容データに含まれた各単語のうち、題目に含まれた各単語の出現回数に加重値を与えることを特徴とする請求項１に記載の情報提供方法。
【請求項３】
前記関心事リストには、前記検索語の入力回数と前記核心語の出現回数とを組み合わせて算出される重要度値が前記検索語とマッチングされていることを特徴とする請求項１に記載の情報提供方法。
【請求項４】
前記重要度値を算出するにおいて、前記検索語の入力回数と前記核心語の出現回数にそれぞれ加重値を与えることを特徴とする請求項３に記載の情報提供方法。
【請求項５】
前記核心語の出現回数より前記検索語の入力回数に一層大きい加重値を与えることを特徴とする請求項４に記載の情報提供方法。
【請求項６】
使用者識別情報を受信する段階と、
所定方法を用いて抽出された各分野別イシューから前記使用者識別情報に相応する使用者の関心事と関連した分野のイシューを抽出し、これを使用者に提供する段階と、をさらに含むことを特徴とする請求項１に記載の情報提供方法。
【請求項７】
前記使用者の識別情報に対応する使用者の関心事は、前記使用者の識別情報に相応する使用者の関心事リストを用いて決定されることを特徴とする請求項６に記載の情報提供方法。
【請求項８】
前記各分野別イシューは、各分野に含まれたインターネット上の全てのデータのうち、出現回数が臨界値未満であるデータを除いたデータであることを特徴とする請求項６に記載の情報提供方法。
【請求項９】
前記使用者識別情報受信段階で、複数の使用者から互いに同一の識別情報の入力を受け、
前記イシュー提供段階で、前記複数の使用者に同一のイシューを提供することを特徴とする請求項６に記載の情報提供方法。
【請求項１０】
前記検索語及び位置情報受信段階で、
前記所定情報は、前記検索語に対する検索結果に含まれた情報で、前記位置情報は、前記所定情報に対するＵＲＬ情報であることを特徴とする請求項１に記載の情報提供方法。
【請求項１１】
請求項１から１０のいずれか一項に記載の情報提供方法を遂行するためのプログラムが記録されたコンピュータ読取可能な記録媒体。
【請求項１２】
使用者から検索語または所定情報に対する位置情報の入力を受け、前記検索語の入力回数と前記所定情報から抽出された一つ以上の核心語を参照して関心事リストを生成する関心事管理部と、
前記位置情報に対応するウェブサイトに接続し、該当のウェブサイトの内容データに含まれた各単語のうち出現回数が臨界値以上である前記一つ以上の核心語を抽出する核心語抽出サーバーと、
前記関心事リストを使用者に提供する関心事提供部と、
を含むことを特徴とする情報提供システム。
【請求項１３】
前記核心語抽出サーバーは、
前記核心語を抽出するにおいて、前記ウェブサイトの内容データに含まれた各単語のうち題目に含まれた各単語の出現回数に加重値を与えることを特徴とする請求項１２に記載の情報提供システム。
【請求項１４】
前記関心事リストには、前記検索語の入力回数と前記核心語の出現回数とを組み合わせて算出される重要度値が前記検索語とマッチングされていることを特徴とする請求項１２に記載の情報提供システム。
【請求項１５】
前記重要度値を算出するにおいて、前記検索語の入力回数と前記核心語の出現回数にそれぞれ加重値を与え、前記検索語の入力回数に一層大きい加重値を与えることを特徴とする請求項１４に記載の情報提供システム。
【請求項１６】
所定方法を用いて各分野別に抽出されたイシューが保存されるイシュー保存部と、
使用者から使用者の識別情報を受信し、受信された識別情報に対応する使用者の関心事と関連したイシューを前記イシュー保存部から抽出して使用者に提供する関心事処理部と、をさらに含むことを特徴とする請求項１２に記載の情報提供システム。
【請求項１７】
前記関心事処理部は、前記使用者の識別情報に相応する使用者の関心事リストを用いて前記使用者の識別情報に対応する使用者の関心事を決定することを特徴とする請求項１６に記載の情報提供システム。
【請求項１８】
前記イシュー保存部に保存される前記各分野別イシューは、各分野に含まれたインターネット上の全てのデータのうち出現回数が臨界値未満であるデータを除いたデータであることを特徴とする請求項１６に記載の情報提供システム。
【請求項１９】
前記関心事処理部は、
複数の使用者から互いに同一の識別情報の入力を受け、各使用者に同一のイシューを提供することを特徴とする請求項１６に記載の情報提供システム。
【請求項２０】
前記所定情報は、前記検索語に対する検索結果に含まれた情報で、前記位置情報は、前記所定情報に対するＵＲＬ情報であることを特徴とする請求項１２に記載の情報提供システム。
【発明の詳細な説明】
【技術分野】
【０００１】
本発明は、情報の検索及び提供に関するもので、より詳細には、使用者の関心事と関連したイシューデータを抽出して提供する方法及びその装置に関するものである。
【背景技術】
【０００２】
個人化サービス（Ｐｅｒｓｏｎａｌｉｚｅｄ  ｓｅｒｖｉｃｅ）は、使用者の個人情報に合わせてコンテンツを提供するサービスをいい、例えば、個人のインターネット使用形態を分析し、個人別に最適化された情報で初期画面を構成するサービスや、コンテンツ別に会員たちの性向を分類し、各個人が主に使用するコンテンツに合せて画面を構成するサービスなどが挙げられる。
【０００３】
個人化サービスの他の例としては、使用者の代わりに対話をしたり、アバターのような分身を通して自身の役割を代わりに行うようにするサービスなどが挙げられる。
【発明の開示】
【発明が解決しようとする課題】
【０００４】
しかしながら、上記のような従来技術に係る個人化サービス提供方法の場合、これを使用者個々人が一々設定すべきであって面倒であり、コンテンツの供給不足で個人の関心事による多様なコンテンツを受けるのに限界があるという問題点があった。
【０００５】
したがって、本発明が解決しようとする技術的課題は、個人の関心事を反映したイシューを抽出して使用者に提供する情報提供方法及びそのシステムを提供することにある。
【課題を解決するための手段】
【０００６】
上記の技術的課題を達成するための本発明の一側面による情報提供方法は、使用者から検索語または所定情報に対する位置情報の入力を受ける段階と、前記位置情報に対応するウェブサイトに接続し、該当のウェブサイトの内容データに含まれた各単語のうち出現回数が臨界値以上である一つ以上の核心語を抽出する段階と、前記検索語の入力回数及び前記核心語を参照して関心事リストを生成する段階と、前記関心事リストを使用者に提供する段階とを含むことを特徴とする。
【０００７】
一実施例において、前記核心語抽出段階は、前記ウェブサイトの内容データに含まれた各単語のうち、題目に含まれた各単語の出現回数に加重値を与えることを特徴とする。
【０００８】
また、前記関心事リストには、前記検索語の入力回数と前記核心語の出現回数とを組み合わせて算出される重要度値が前記検索語とマッチングされていることを特徴とし、前記重要度値を算出するにおいて、前記検索語の入力回数と前記核心語の出現回数にそれぞれ加重値を与えることを特徴とする。このとき、前記核心語の出現回数より前記検索語の入力回数に一層大きい加重値を与えることができる。
【０００９】
一実施例において、前記情報提供方法は、使用者識別情報を受信する段階と、所定方法を用いて抽出された各分野別イシューから前記使用者識別情報に相応する使用者の関心事と関連した分野のイシューを抽出し、これを使用者に提供する段階とをさらに含むことができる。
【００１０】
このとき、前記使用者の識別情報に対応する使用者の関心事は、前記使用者の識別情報に相応する使用者の関心事リストを用いて決定され、前記各分野別イシューは、各分野に含まれたインターネット上の全てのデータのうち、出現回数が臨界値未満であるデータを除いたデータであることを特徴とする。
【００１１】
一実施例において、前記使用者識別情報受信段階で、複数の使用者から互いに同一の識別情報の入力を受け、前記イシュー提供段階で、前記複数の使用者に同一のイシューを提供することができる。
【００１２】
一方、前記検索語及び位置情報受信段階で、前記所定情報は、前記検索語に対する検索結果に含まれた情報で、前記位置情報は、前記所定情報に対するＵＲＬ情報であることを特徴とする。
【００１３】
上記の技術的課題を達成するための本発明の他の側面による情報提供システムは、使用者から検索語または所定情報に対する位置情報の入力を受け、前記検索語の入力回数と前記所定情報から抽出された一つ以上の核心語を参照して関心事リストを生成する関心事管理部と、前記位置情報に対応するウェブサイトに接続し、該当のウェブサイトの内容データに含まれた各単語のうち出現回数が臨界値以上である前記一つ以上の核心語を抽出する核心語抽出サーバーと、前記関心事リストを使用者に提供する関心事提供部とを含む。
【発明の効果】
【００１４】
本発明によると、使用者が一々自身の個人情報を設定しなくても、個人の関心事を反映した個人化されたイシュー情報を受けることができる。
【発明を実施するための最良の形態】
【００１５】
以下、添付された図面を参照して、本発明の実施例に対して詳細に説明する。
【００１６】
図１は、本発明の一実施例に係る情報提供システムのブロック図である。図示したように、情報提供システム１００は、関心事管理部１２０、核心語抽出サーバー１３０及び関心事提供部１４０を含む。
【００１７】
関心事管理部１２０は、使用者クライアント１１０を通して使用者によって入力された検索語または使用者が閲覧しようとする情報の位置情報の入力を受ける。一実施例において、使用者が閲覧しようとする情報は、検索サーバー（図示せず）によって提供される検索結果に含まれている情報を意味したり、特定のウェブサーバー（図示せず）によって提供されるウェブ文書を意味するものである。したがって、この場合、使用者が閲覧しようとする情報の位置情報は、検索結果に含まれている情報のＵＲＬ（Ｕｎｉｆｏｒｍ  Ｒｅｓｏｕｒｃｅ  Ｌｏｃａｔｏｒ）情報であるか、特定のウェブサーバーによって提供されるウェブ文書のＵＲＬ情報である。
【００１８】
また、関心事管理部１２０は、使用者クライアント１１０から伝送されるＵＲＬ情報を核心語抽出サーバー１３０に伝送し、核心語抽出サーバー１３０から提供される核心語リストと使用者クライアント１１０から受信された検索語を用いて関心事リストを生成する。
【００１９】
一実施例において、関心事リストは、（検索語、重要度値）からなるデータベース形態で生成される。ここで、重要度値は、各検索語の入力回数と核心語リストの出現回数を用いて算出される。
【００２０】
例えば、”初雪”という検索語の入力回数が２で、使用者によって入力されたＵＲＬ情報から獲得された核心語である"初雪"の出現回数が３０である場合、検索語の入力回数に加重値０．８を与え、核心語の出現回数に加重値０．２を与えると、重要度値は、２×０．８＋３０×０．２＝７．６になる。このような方法で各検索語に対して生成された関心事リストの例は、次の通りである。
【００２１】
（初雪、７．６）、（ネオウィズ、４．３）、（ウッチャッサ、３．０）、（ネイバー、２．２）、（ジャウリム、５．０）…
【００２２】
上記のような方法を通して生成された関心事リストは、関心事提供部１４０を通して使用者に提供される。
【００２３】
核心語抽出サーバー１３０は、上述した位置情報であるＵＲＬを参照して、それに対応するウェブサイトに接続することで、該当のウェブサイトの内容データに含まれた各単語のうち出現回数が所定回数以上である核心語を抽出し、抽出された各核心語で構成された核心語リストを関心事管理部１２０に提供する。
【００２４】
核心語は、多様な方法によって抽出されるが、一実施例において、該当のウェブサイトの内容データに頻繁に出現する各単語のうち出現回数が一定回数以上である単語を核心語として抽出し、該当のウェブサイトの題目に出現する各単語の出現回数に加重値を与えることができる。ここで、加重値は、０〜１の値になる。
【００２５】
一方、関心事提供部１４０は、関心事管理部１２０によって生成された関心事リストを使用者に提供する。
【００２６】
一実施例において、上述した情報提供システム１００は、各使用者の関心事を反映して抽出したイシューを各使用者に提供するために関心事処理部１５０及びイシュー保存部１６０をさらに含むことができる。
【００２７】
関心事処理部１５０は、まず、使用者クライアント１１０から使用者識別情報を受信する。一実施例において、使用者識別情報としては、各使用者別に与えられたクッキー（Ｃｏｏｋｉｅ）ファイルまたは各使用者のテンポラリ（Ｔｅｍｐｏｒａｒｙ）ファイルが用いられる。
【００２８】
また、関心事処理部１５０は、関心事管理部１２０に受信された使用者識別情報に相応する関心事提供を要請し、関心事管理部１２０から該当の使用者識別情報に相応する関心事を受ける。このとき、使用者識別情報に相応する関心事は、上述した関心事管理部１２０によって生成された関心事リストである。
【００２９】
その後、関心事処理部１５０は、イシューデータが各分野別に保存されているイシュー保存部１６０から使用者の関心事が属する分野と関連したイシューデータを抽出し、これを使用者クライアント１１０に提供する。
【００３０】
イシュー保存部１６０には、各分野別にイシューデータが保存されているが、このとき、イシュー保存部１６０に保存される各イシューデータは、インターネット上の全てのデータから多様な方法を通して決定される。
【００３１】
例えば、インターネット上の全てのデータをデータの題目及びデータの出現回数の順に羅列した後、出現回数が臨界値以下であるデータの削除によって獲得された各データのうち少なくとも一部（例えば、生成日付が最近であるデータ）がイシューと決定されてイシュー保存部１６０に保存される。
【００３２】
上述した実施例においては、イシューの決定に各データの出現回数を用いる場合を記載したが、変形された実施例においては、イシューを決定するにおいて、データの出現回数のみならず、データの生成日付、イメージの包含可否、または単語の長さなどの多様な基準を用いることもできる。
【００３３】
図２は、本発明の一実施例に係る関心事提供方法のフローチャートである。
【００３４】
使用者からの検索語または使用者が閲覧しようとする情報の位置情報を受信する（Ｓ２１０）。一実施例において、位置情報はＵＲＬ情報になる。その後、位置情報を参照して、それに対応するウェブサイトに接続することで、該当のウェブサイトの内容データに含まれた各単語のうち出現回数が所定回数以上である核心語を抽出する（Ｓ２２０）。
【００３５】
核心語は、上述したように多様な方法によって抽出されるが、例えば、頻繁に出現する各単語のうち一定回数以上出現する単語を核心語として抽出し、題目に出現する各単語に加重値を与えて核心語として抽出することができる。
【００３６】
次に、抽出された核心語の出現回数、Ｓ２１０段階で入力を受けた検索語の入力回数などを参照して、関心事リストを生成する（Ｓ２３０）。一実施例において、関心事リストは、（検索語、重要度値）などの形態で生成される。
【００３７】
一実施例において、重要度値は、核心語の出現回数と検索語の入力回数とを組み合わせて計算し、検索語の入力回数に一層大きい加重値を与えて重要度値を計算することができる。このように生成された関心事リストは、関心事提供部１４０を通して使用者に提供される（Ｓ２４０）。
【００３８】
図３は、関心事を反映してイシューを抽出する方法のフローチャートである。
【００３９】
使用者から使用者識別情報を受信する（Ｓ３１０）。一実施例において、使用者識別情報は、使用者クライアントのクッキーファイルまたはテンプ（Ｔｅｍｐ）ファイルである。
【００４０】
その後、受信された使用者識別情報に対応する使用者の関心事と関連したイシューを抽出する（Ｓ３２０）。例えば、使用者識別情報に対応する関心事のうち第一の関心事が"サッカー"であると、多様な主題のイシューのうち"サッカー"に該当するイシューを抽出する。
【００４１】
最後に、上記のように抽出されたイシューを使用者に提供する（Ｓ３３０）。
【００４２】
図４Ａ乃至図４Ｂは、情報提供システムと使用者クライアントとの連結関係の一例を示した図である。
【００４３】
使用者クライアント４１０と情報提供システム４１１は、図４Ａに示すように１：1で連結されるか、図４Ｂに示すように１：ｎで連結される。使用者クライアント４１０と情報提供システム４１１が１：ｎで連結された場合、多数個の使用者クライアント４２０〜４２２が一つの共通的な関心事を共有することができる。この場合、使用者クライアント４２０〜４２２は、互いに同一の使用者識別情報を情報提供システム４２５に提供する。例えば、会社内で同一のプロジェクトを遂行する人たちが互いに同一の関心事を共有することができる。
【００４４】
上記のように、互いに異なる使用者クライアントから同一の使用者識別情報を伝送して関心事を共有することができるので、各使用者は、該当の使用者クライアントが変更される場合にも（例えば、会社で使用するコンピュータと家で使用するコンピュータ）、同一のイシュー情報を受けることができる。
【００４５】
一方、上述した情報提供方法は、コンピュータプログラムで作成可能である。前記プログラムを構成するコード及びコードセグメントは、当該分野のコンピュータプログラマーによって容易に推論可能である。また、前記プログラムは、コンピュータ可読の情報保存媒体に保存され、コンピュータによって読まれて実行されることで、情報提供方法を具現する。前記情報保存媒体は、磁気記録媒体、光記録媒体、及びキャリアウェーブ媒体を含む。
【００４６】
以上、本発明を多様な実施例に基づいて説明してきたが、本発明は、当該技術分野で通常の知識を有する者であれば、本発明の本質的な特性を逸脱しない範囲で変形された形態で具現可能であることを理解できるだろう。したがって、開示された各実施例は、限定的な観点でなく、説明的な観点で考慮されるべきである。本発明の範囲は、上述した説明でなく、特許請求の範囲に示されており、それと同等な範囲内にある全ての差異点は、本発明に含まれたものとして解析されるべきである。
【図面の簡単な説明】
【００４７】
【図１】本発明の一実施例に係る情報提供システムのブロック図である。
【図２】本発明の一実施例に係る関心事提供方法のフローチャートである。
【図３】関心事を反映して抽出されたイシューを提供する方法のフローチャートである。
【図４Ａ】情報提供システムと使用者クライアントとの連結関係の一例を示した図である。
【図４Ｂ】情報提供システムと使用者クライアントとの連結関係の一例を示した図である。
【符号の説明】
【００４８】
１００  情報提供システム
１１０  使用者クライアント
１２０  関心事管理部
１３０  核心語抽出サーバー
１４０  関心事提供部
１５０  関心事処理部
１６０  イシュー保存部
【図１】
2008176782.tif 000003
【図２】
2008176782.tif 000004
【図３】
2008176782.tif 000005
【図４Ａ】
2008176782.tif 000006
【図４Ｂ】
2008176782.tif 000007